(57)【要約】【課題】オンデマンドの時計用表示装置を提供する。【解決手段】時分を表示するために配置された表示装置は、キャノンピニオン１１によってそれぞれ別々に駆動される二つのカム１４及び３４と、時計のムーブメントの筒車３１とを有する。バネ１８及び３８によって待機位置に保持されているレバー１５及び３５は、対応する時計の外側に配置された押しボタン４によってオンデマンドに稼動されるように配置されており、それぞれの歯竿２４及び４４の検知指２５及び４５が対応するカムの周縁に接するまで、歯竿２４及び４４を回動させる。それぞれの歯竿はその回転中に分及び時を示す針を支持するピニオン２６及び４６を駆動する。【選択図】図２
2008157951.tif 000002
【特許請求の範囲】
【請求項１】
時計のムーブメントの基礎歯車（１１、３１）によって駆動されることで、時間又は時計の機能に関する表示を示す部材（５、６）の動きを制御する時計（１）用の表示装置であって、
所定の形状の周縁を有し、基礎歯車によって駆動されるカム（１４、３４）と、
時計のムーブメントのフレーム部材を基準として、表示部材の遊休位置に関連する待機位置と、表示部材の表示位置に関連する停止位置との間で回動するよう設置されたレバー（２２、４４）と、
前記レバーに力を加えて前記待機位置に付勢する弾性手段（１８、３８）と、
時計の使用者の操作に応じて前記弾性手段を無効化して、前記レバーを前記停止位置に移動させる制御レバー（１５、３５）と
を有しており、前記レバーは前記カムの周縁と協働して前記停止位置を決定する検知指（２５、４５）を支持し、また、前記レバーは表示部材を駆動するピニオン（２６、４６）と係合するよう配置されている歯竿（２４、４４）を支持する表示装置。
【請求項２】
時計のムーブメントの第二の基礎歯車（１１、３１）によって駆動され、第二の表示部材（５、６）の動きを制御する装置であって、
所定の形状の周縁を有し、第二の基礎歯車によって駆動される第二のカム（１４、３４）と、
時計のムーブメントのフレーム部材を基準として、第二の表示部材の遊休位置に関連する待機位置と、第二の表示部材の表示位置に関連する停止位置との間で回動するよう設置されている第二のレバー（２２、４２）と、
前記第二のレバーに力を加えて前記待機位置に付勢する第二の弾性手段（１８、３８）と、
時計の使用者の操作に応じて第一の弾性手段の無効化と同時に前記第二の弾性手段を無効化して、前記第二のレバーを前記停止位置に移動させる第二の制御レバー（１５、３５）と
を有し、前記第二のレバーは前記第二のカムの周縁と協働して前記停止位置を決定する第二の検知指（２５、４５）を支持し、また、第二のレバーは第二の表示部材を駆動する第二のピニオン（２６、４６）と係合するよう配置されている第二の歯竿（２４、４４）を支持する請求項１の装置。
【請求項３】
前記ピニオン（２６、４６）が同軸であり、前記歯竿（２４、４４）が対応する軸の対向する側に配置されており、また、時計の使用者の操作に応じて反対方向に回動するよう配置されている請求項２の装置。
【請求項４】
対応する前記弾性手段（１８、３８）によって加えられ、前記レバーを停止位置に付勢する力より弱い第二の力をそれぞれのレバー（２２、４２）に加える復帰システム（２８、２９、４８、４９）を有する請求項１から３のいずれかの装置。
【請求項５】
時間又は時計のムーブメントの機能に関する表示に対応するよう駆動される基礎歯車（１１、３１）と、表示部材（５、６）の動きを制御して前記時間又は時計のムーブメントの機能に関する表示を表す量を示すための表示装置とを有する時計用のムーブメントであって、前記表示装置が、
所定の形状の周縁を有し、前記基礎歯車によって駆動されるカム（１４、３４）と、
時計のムーブメントのフレーム部材を基準として、表示部材の遊休位置に関連する待機位置と、表示部材の表示位置に関連する停止位置との間で回動するよう設置されているレバー（２２、４２）と、
前記レバーに力を加えて前記待機位置に付勢する弾性手段（１８、３８）と、
時計の使用者の操作に応じて、前記弾性手段を無効化して前記レバーを前記停止位置に移動させる制御レバー（１５、３５）と
を有し、前記レバーは前記カムの周縁と協働して前記停止位置を決定する検知指（２５、４５）を支持し、また、レバーは表示部材を駆動するピニオン（２６、４６）と係合するよう配置されている歯竿（２４、４４）を支持するムーブメント。
【請求項６】
時間又は時計のムーブメントの機能に関する第二の表示に応じて駆動される第二の基礎歯車（１１、３１）を有する時計のムーブメントであって、前記表示装置は第二の表示部材の動きを制御して前記時間又は時計のムーブメントの機能に関する第二の表示を表す量を示すよう配置されており、前記表示装置が、
所定の形状の周縁を有し、前記第二の基礎歯車によって駆動される第二のカム（１４、３４）と、
時計のムーブメントのフレーム部材を基準として、第二の表示部材の遊休位置に関連する待機位置と、第二の表示部材の表示位置に関連する停止位置との間で回動するよう設置されている第二のレバー（２２、４２）と、
前記第二のレバーに力を加えて待機位置に付勢する第二の弾性手段（１８、３８）と、
時計の使用者の操作に応じて第一の弾性手段の無効化と同時に前記第二の弾性手段を無効化して、前記第二のレバーを停止位置に移動させる第二の制御レバー（１５、３５）と
を有し、前記第二のレバーが前記第二のカムの周縁に係合して前記第二のレバーの停止位置を決定する第二の検知指（２５、４５）を支持し、また、前記第二のレバーは前記第二の表示部材を駆動する第二のピニオン（２６、４６）と係合するよう配置されている第二の歯竿（２４、４４）を支持する請求項５のムーブメント。
【請求項７】
前記表示装置が、対応する前記弾性手段（１８、３８）によって加えられる前記レバーを停止位置に付勢する力より弱い第二の力をそれぞれのレバー（２２、４２）に加える復帰システム（２８、２９、４８、４９）を有する請求項５のムーブメント。
【請求項８】
前記表示装置が、対応する前記弾性手段（１８、３８）によって加えられ、前記レバーを停止位置に付勢する力より弱い第二の力をそれぞれのレバー（２２、４２）に加える復帰システム（２８、２９、４８、４９）を有する請求項６のムーブメント。
【請求項９】
前記ムーブメントが、第一の基礎歯車（１１）を駆動して１時間で一回転させ、第二の基礎歯車（３１）を駆動して２４時間で一回転させる歯車列を有し、前記表示装置が現在の分を示す第一の部材（５）と現在の時を示す第二の部材（６）の動きを制御する請求項６のムーブメント。
【請求項１０】
請求項５から９のいずれかのムーブメントを内蔵したケース（３）を有する時計であって、少なくとも一つの表示部材（５、６）が、秒、分、時、日、曜日、週、月、月相、年など、又は時計の機能に関するデータを含む群から選択される量を表示し、前記ケースは、表示部材が遊休位置から表示される量を示す位置へと動くのを時計の使用者の操作に応じて許容する押しボタン（４）を有する時計。
【請求項１１】
それぞれ分及び時を表示する第一及び第二の表示針（５、６）を有し、それらが１２時を示す場所に共通の遊休位置を有する請求項１０の時計。
【発明の詳細な説明】
【技術分野】
【０００１】
本発明は時計の分野、特に時計の表示装置に関する。
【背景技術】
【０００２】
従来技術において多くの時計用表示装置、特に、通常文字盤についている適切な目盛りと対向する表示部材の連続又は跳躍駆動によって情報を表示するための装置が知られている。尚、これらの表示装置はよく知られているので文献を列挙しない。
【発明の開示】
【発明が解決しようとする課題】
【０００３】
従来式の常に時間などを表示する時計用表示装置を改良する。
【課題を解決するための手段】
【０００４】
本発明は、時計用の表示装置であり、該装置は時計のムーブメントの基礎歯車によって駆動され、表示部材の表示を制御することによって、現在の時間に関する情報又は時計の機能に関する情報をオンデマンドに表示する。時計ムーブメントの基礎歯車とは、装置によって針、ディスク又はあらゆる時間を表示する機構を制御することを目的とした全ての歯車、特に、秒、分、時、日、曜日、週、月、月相、年、又は電池残量などの時計の機能に関するあらゆる表示を示すことを目的とした全ての歯車を意味する。
【０００５】
オンデマンド表示装置は以下の特徴を有する。所定の形状の周縁を有し、基礎歯車によって駆動されるカムと、時計のムーブメントのフレーム部材を基準にして表示装置の遊休位置に関連する待機位置と、表示部材の表示位置に関連する停止位置との間で回動するように設置されたレバーとを有し、レバーはカムの周縁に係合することで停止位置を決定する検知指を支持し、また、レバーは表示部材を駆動するピニオンに係合するよう配置された歯竿を有する。
【０００６】
また、装置はレバーに力を加えることでレバーを待機位置に付勢する弾性手段と、時計の使用者の動作に応じて弾性手段を無効化し、レバーに自身を停止位置に位置決めすることで、必要な情報を表示するよう配置された制御レバーとを有する。
【０００７】
好適な実施形態においては、基礎歯車は分の表示を制御するキャノンピニオンであり、装置は時計の第二の基礎歯車によって駆動される。第二の基礎歯車は筒車であり、第二のカムを駆動する。第二のバネによって同様に待機位置に保持されている第二のレバーは、二つのレバーを体系的に制御する同じ押しボタンによってオンデマンドに手動で稼動されることで、第二の歯竿の指が第二のカムに接するまで第二の歯竿をその軸上で回動させる。第二の歯竿はその回転中に第二の時間表示部材を指示する第二のピニオンを駆動し、カムは表示される一連の分又は時に対応する形状を有する。
【０００８】
それぞれの基礎歯車は、カムと一体化した歯車と嵌合する設定車を介して対応するカムに回転運動を伝達し、基礎歯車は１時間又は２４時間でそれぞれ一回転する。
【０００９】
その特徴のおかげで、本発明による表示装置は備わっている時計に不思議な性能をもたらす。さらに、それは文字盤から余分なものを取り除き、装置によって駆動される表示装置による表示以外の表示される情報の視認性を向上させる。
【００１０】
時間表示部材は、針、ディスク、又は秒、分、時、日、曜日、週、月、月相、年など、若しくは時計の機能に関するデータを表示するよう配置された全ての装置である。
【００１１】
歯竿によって駆動されるピニオンは同軸であることが好ましく、歯竿が対応する軸の対向する側に配置されることが有益である。それぞれのピニオンは表示針を支持する。
【００１２】
歯竿を制御するレバーが待機位置にある時は、時計の二つの針は正午の位置にあるであろう。
【００１３】
図面は例として時計用のオンデマンド表示装置の実施形態を図示する。
【発明を実施するための最良の形態】
【００１４】
図１に示される時計１はそのケース３の右側に配置された従来型の竜頭２と、時分のオンデマンドな表示を制御するためのケースの左側に配置された押しボタン４とを有する。
【００１５】
図１に示されるように、分を示す針５と時を示す針６とは、ケースの左側に配置された押しボタン４が稼動していない時は、１２時を示す場所に位置する。押しボタン４が押されると、装置が稼動し、図２及び３に関して以下に説明されるように、現在の時分が表示される。
【００１６】
また、任意の秒針７が中央に示されており、前記秒針がムーブメントによって常に駆動されて、時計の使用者にムーブメントが正常に機能していることを示すことが有益である。
【００１７】
図２の下部分及び図３の右部分それぞれにおいて、表示装置の分を示す第一部１０が示されており、一方、装置の時を表示する部分３０が図２の上部分及び図３の左部分それぞれに配置されている。
【００１８】
時計の分のオンデマンドの表示に関する装置の部分を参照すると、図２及び３からこの部分がキャノンピニオンと呼ばれる基礎歯車１１を有することが明らかであり、前記基礎歯車は一時間で一回転し、分の表示を制御することを目的とすることが理解される。基礎歯車又はキャノンピニオン１１は時計の歯車列（図を明瞭にするために図示されていない）の運動を設定車１２に伝達する。設定車１２はカム１４と一体であり且つ同軸である歯車１３を駆動し、対応するギア比はカムが一時間で一回転するようになっている。
【００１９】
表示装置の第一の稼動レバー１５はムーブメントのフレーム上に位置する軸１６に回動可能に設置される。このレバーはバネ１８が作用してレバーを待機位置に保持するバネ止め１７を有しており、前記バネ止めは図中に見ることができる。押しボタン４は時計の外側からオンデマンドに手動で稼動され、レバーは押しボタン４の稼動による圧力を受けるための第一端１９を有している。また、レバーはその第二端にピン２０を有する。
【００２０】
このピンは、レバー２２のブレーキ２１に作用するように配置されており、レバー２２はムーブメントのフレーム上においてブレーキ２１の近くに配置された軸２３に回動するよう設置されている。また、レバー２２は歯竿２４とカム１４の周縁に係合するための検知指２５とを支持する。
【００２１】
レバー２２はムーブメント上に配置されることで、歯竿２４がムーブメントの中央に配置されたピニオン２６と嵌合し、それ自身は予め圧力をかけられたぜんまい２９の第一端と一体になった歯車２８と嵌合している設定車２７を有する復帰システムと係合しており、ぜんまいの第二端は時計のムーブメントのフレームに固定されている。
【００２２】
復帰システムは、押しボタン４が稼動してレバー１５に作用することで、レバー２２のブレーキ２１を解除するときに、ぜんまい２９が歯車２８及び設定車２７を介してピニオン２６に作用することで、検知指２５がカム１４の周縁に接するまで歯竿２４を時計方向に回転させるように形成されている。
【００２３】
この回転運動の間に、分針５を支持するピニオン２６は、針が現在の分を表示するまで駆動される。なぜならば、カム１４の形状がレバーの待機位置を基準としてこの時におけるレバー２２の回転角度振幅を決定するからである。
【００２４】
押しボタン４に加えられた圧力が解消されると、レバー１５はバネ１８によって加えられる力の効果によってその待機位置へと戻され、分針５は１２時の位置に戻る。
【００２５】
上述したことと同様に、オンデマンドの時間の表示に関する装置の部分３０は、設定車３２によって歯車列から歯車３３に運動を伝達する筒車３１を有する。歯車３３はカム３４と一体になっており、筒車３１はカム３４と同じく２４時間で一回転する。
【００２６】
表示装置の第二の稼動レバー３５はムーブメントのフレーム上の軸３６に回動するよう設置されている。このレバーは、第二のバネ３８が作用することでレバーを待機位置に保持するバネ止め３７を有しており、それは図において見ることができる。押しボタン４は時計の外側からオンデマンドに手動で稼動され、レバーは押しボタン４の稼動によって圧力を受ける第一端３９を有する。また、レバーはその第二端にピン４０を有する。
【００２７】
このピン４０は、第二のレバーのブレーキ４１に作用するよう配置されており、前記第二のレバーは時計のムーブメントのフレーム上においてブレーキ４１の近くに配置された軸４３に回動するよう設置されている。また、レバー４２は第二の歯竿４４と第二のカム３４の周縁に係合するための第二の検知指４５とを支持する。
【００２８】
レバー４２は、歯竿４４がピニオン２６と同軸のピニオン４６に嵌合するよう配置されている。またレバー４２は、設定車２７上に重ねられ、予め力が加えられたぜんまい４９の第一端と一体になっている歯車４８と嵌合している設定車４７を有する復帰システムと係合しており、ぜんまいの第二端は時計のムーブメントのフレームに一体化している。
【００２９】
復帰システムは、押しボタン４が稼動してレバー３５に作用することで、レバー４２のブレーキ４１を解除する時に、ぜんまい４９が歯車４８と設定車４７を介してピニオン４６に作用することで、検知指４５がカム３４の周縁に接するまで反時計方向に歯竿４４を回転させるように形成されている。
【００３０】
この回転運動の間に、時針６を支持するピニオン４６は、針が現在の時を示すまで駆動される。なぜならば、カム３４の形状が、レバー４２の待機位置を基準としてこの時におけるレバー４２の回転の角度振幅を決定するからである。
【００３１】
押しボタン４に加えられた圧力が解消されると、レバー３５はバネ３８によって加えられる力の効果によってその待機位置へと戻り、時針６は１２時の位置に戻る。
【００３２】
押しボタン４が稼動するとき、ピニオン２６及び４６は逆方向に回転するため、ぜんまい２９及び４９は互いに逆方向に巻いていることが有益であると理解される。
【００３３】
第二のレバー３５の末端３９は押しボタン４の作用が働くピン５２を支持している。このピンは、押しボタン４が稼動している間にレバー１５の末端１９に自身を作用させるように配置されており、二つのレバー１５及び３５は同時に稼動することで、針５及び６の運動を同時に制御して、現在の時間を表示するようになっていることが有益である。
【００３４】
さらに、偏心器５３によって調節可能なそれぞれのレバーの待機位置２２及び２４の提供が好ましいことが理解されるであろう。偏心器はムーブメントのフレームに設置され、レバーが対応するバネ１８及び３８によって加えられる力の効果でその待機位置に戻る時に、レバーを停止させる。
【００３５】
この説明は、発明の実施形態を限定することなく説明しており、本発明の範囲を逸脱することなく、当業者が必要な表示装置の構成部材のいくつかを適用するに際して特に困難に面しないことは当然である。
【００３６】
例えば、説明された復帰システムはぜんまい２９及び４９の代わりにまっすぐなバネを用いるように改変することができる。これらのまっすぐなバネはステップダウン歯車列によって対応するピニオンに段階的に連結される歯車によって支持されるピンに作用する。
【００３７】
さらに、上述したように、説明された装置は時計における時分の表示に限定されない。実際に、この装置の二つの部分１０及び３０の一方又は他方は時間に関するあらゆる表示を示すのに用いることができる。したがって、秒、日、曜日、週、月、月相、又は年を示すため用いることができる。また、時計の電池残量などの他の表示、又は時計の機能に関する他のあらゆる表示をオンデマンドで示すために用いることができる。
【図面の簡単な説明】
【００３８】
【図１】分針及び時針が１２時を示す押しボタンが押される前の時計の正面図。
【図２】押しボタンが作用すると時分をオンデマンドで表示するオンデマンド表示装置の平面図。
【図３】針を支持する重畳ピニオンを駆動するために異なる高さに配置された歯竿の構造を示す斜視図。
【符号の説明】
【００３９】
４  押しボタン
１４、３４  カム
１５、３５  レバー
２４、４４  歯竿
２６、４６  ピニオン
【図１】
2008157951.tif 000003
【図２】
2008157951.tif 000004
【図３】
2008157951.tif 000005